(57)【要約】  本発明は、待ち受け画面機能のある移動通信端末機に関し、さらに詳細には、移動通信端末機の待ち受け画面用テンプレートの変更方法に関する。  本発明に係る移動通信端末機の待ち受け画面用テンプレートの変更方法は、（ａ）移動通信端末機の待ち受け画面に表示するために、既設定のいずれか一つのテンプレートタイプを選択するステップと、（ｂ）前記選択したテンプレートタイプに応じてチャネルが構成されるステップと、（ｃ）前記選択したテンプレートタイプが表示されるステップと、を含むことを特徴とする。
2008535362.tif 000002
【特許請求の範囲】
【請求項１】
（ａ）移動通信端末機の待ち受け画面に表示するために、既設定のいずれか一つのテンプレートタイプを選択するステップと、
（ｂ）前記選択したテンプレートタイプに応じてチャネルが構成されるステップと、
（ｃ）前記チャネルが構成されたテンプレートタイプで既表示のテンプレートタイプから変更されたテンプレートタイプに変更されるステップと、
を含む、移動通信端末機の待ち受け画面のテンプレートタイプの変更方法。
【請求項２】
（ａ）移動通信端末機の待ち受け画面に表示するために、既設定のいずれか一つのテンプレートタイプを選択するステップと、
（ｂ）前記選択したテンプレートタイプに応じてチャネルが構成されるステップと、
（ｃ）前記チャネルが構成されたテンプレートタイプで既表示のテンプレートタイプから変更されたテンプレートタイプに変更されるステップと、
を含む、移動通信端末機の待ち受け画面のテンプレートタイプの変更方法をコンピュータで実行させるためのプログラムを記録した、コンピュータで読み取り可能な記録媒体。
【請求項３】
前記（ａ）ステップのテンプレートタイプの選択は、前記移動通信端末機内のテンプレートタイプ変更応用プログラムを用いて選択するか、あるいはＷＥＢまたはＷＡＢを介して選択される、請求項２に記載のコンピュータで読み取り可能な記録媒体。
【請求項４】
前記応用プログラムを介してテンプレートタイプが変更される場合は、変更されたテンプレートタイプに該当するテンプレートタイプコードがサービスサーバに送信される、請求項３に記載のコンピュータで読み取り可能な記録媒体。
【請求項５】
前記ＷＥＢまたはＷＡＢを介してテンプレートタイプが変更される場合は、変更されたテンプレートタイプに該当するテンプレートタイプコードを前記サービスサーバから移動通信端末機に送信する、請求項３に記載のコンピュータで読み取り可能な記録媒体。
【請求項６】
前記（ｂ）ステップの後、
（ｂ−１）前記構成された各々のチャネルにコンテンツ情報が設定されているか否かを検査するステップと、
（ｂ−２）前記（ｂ−１）ステップの後、コンテンツ情報が設定されていないチャネルがある場合、所望のコンテンツ情報がチャネルに割り当てられるように設定するステップと、
をさらに含む、請求項２に記載のコンピュータで読み取り可能な記録媒体。
【請求項７】
前記（ｂ−２）ステップの所望のコンテンツ情報がチャネルに割り当てられることは、サービスサーバに要請して前記サービスサーバから伝送されるか、あるいは既受信の移動通信端末機内のコンテンツ情報を選択して割り当てる、請求項６に記載のコンピュータで読み取り可能な記録媒体。
【請求項８】
前記サービスサーバに要請されるコンテンツ情報はコンテンツコードで送信される、請求項７に記載のコンピュータで読み取り可能な記録媒体。
【請求項９】
前記選択したテンプレートタイプに含まれたチャネルは、文字またはイメージが移動しつつ表示されるスライディング領域またはイメージまたは動映像が表示されるマルチメディア領域である、請求項２に記載のコンピュータで読み取り可能な記録媒体。
【請求項１０】
待ち受け画面に表示するために、既設定のいずれか一つのテンプレートタイプを選択する選択手段と、
前記選択したテンプレートタイプに応じてチャネルが構成されるチャネル構成手段と、
前記チャネル構成手段によりチャネルが構成されたテンプレートタイプで既表示のテンプレートタイプから変更されたテンプレートタイプに変更するテンプレートタイプ変更手段と、
前記変更したテンプレートタイプを待ち受け画面として表示する表示手段と
を含む、待ち受け画面用テンプレートタイプを変更することができる移動通信端末機。
【請求項１１】
前記テンプレートタイプの選択は、移動通信端末機内のテンプレートタイプ変更応用プログラムを用いて選択するか、あるいはＷＡＢを介して選択される、請求項１０に記載の移動通信端末機。
【請求項１２】
前記応用プログラムを介してテンプレートタイプが変更される場合は、変更されたテンプレートタイプに該当するテンプレートタイプコードがサービスサーバに送信され、
前記ＷＥＢまたはＷＡＢを介してテンプレートタイプが変更される場合は、変更されたテンプレートタイプに該当するテンプレートタイプコードが前記サービスサーバから移動通信端末機に送信される、請求項１１に記載の移動通信端末機。
【請求項１３】
前記ＷＥＢまたはＷＡＢを介してテンプレートタイプが変更される場合は、変更されたテンプレートタイプに該当するテンプレートタイプコードが前記サービスサーバから移動通信端末機に送信される、請求項１１に記載の移動通信端末機。
【請求項１４】
前記各々のチャネルにコンテンツ情報が設定されているか否かを検査するチャネル検査手段と、
前記チャネル検査手段により、コンテンツ情報が設定されていないチャネルがあると判断される場合、所望のコンテンツ情報がチャネルに割り当てられるように設定するチャネル割り当て手段と、
をさらに備える、請求項１０に記載の移動通信端末機。
【請求項１５】
前記所望のコンテンツ情報がチャネルに割り当てられることは、サービスサーバに要請して前記サービスサーバから伝送されるか、既受信の移動通信端末機内のコンテンツ情報を選択して割り当てる、請求項１４に記載の移動通信端末機。
【請求項１６】
前記サービスサーバに要請されるコンテンツ情報は、コンテンツコードで送信される、請求項１５に記載の移動通信端末機。
【請求項１７】
前記選択したテンプレートタイプに含まれたチャネルは、文字またはイメージが移動しつつ表示されるスライディング領域またはイメージまたは動映像が表示されるマルチメディア領域である、請求項１０に記載の移動通信端末機。
【請求項１８】
（ａ）移動通信端末機の待ち受け画面に表示されるテンプレートタイプを追加または削除するステップと、
（ｂ）前記選択したテンプレートタイプを追加または削除するために、サービスサーバと通信するステップと、
（ｃ）前記テンプレートタイプが追加または削除された結果に応じて、移動通信端末機の待ち受け画面を構成して表示するステップと、
を含むものの、
前記（ａ）ステップのテンプレートタイプの追加または削除は、前記移動通信端末機内のテンプレートタイプ変更応用プログラムを利用するか、ＷＥＢまたはＷＡＢを介して追加または削除する、移動通信端末機の待ち受け画面のテンプレートタイプ追加または削除方法。
【請求項１９】
前記（ｂ）ステップの後、
（ｂ−１）追加または削除しようとするテンプレートタイプがサービスサーバに存在しているか否かを検査するステップと、
（ｂ−２）前記（ｂ−１）ステップ後、前記移動通信端末機の待ち受け画面のテンプレートタイプの変更プログラムから追加または削除するテンプレートタイプ情報をサービスサーバに伝送するステップと、
をさらに含む、請求項１８に記載の方法。
【請求項２０】
前記（ｂ−２）ステップ後、
（ｂ−２１）前記削除したテンプレートタイプが現在待ち受け画面のテンプレートタイプであるか否かを検査するステップと、
（ｂ−２２）前記（ｂ−２１）ステップの結果に応じて、前記削除したテンプレートタイプを除いた基本テンプレートタイプでコンテンツ情報がチャネルに割り当てられるように構成するステップと、
をさらに含む、請求項１９に記載の方法。
【発明の詳細な説明】
【技術分野】
【０００１】
本発明は、待ち受け画面の機能がある移動通信端末機に関し、さらに詳細には、移動通信端末機の待ち受け画面用テンプレートの変更方法に関する。
【背景技術】
【０００２】
無線インターネットサービスが発展するにつれて、ユーザ中心の情報サービスが提供され、これは、無線インターネットの大衆化をもたらしている。
【０００３】
一般に、無線インターネットサービスシステムにおいて、ある情報をユーザに伝達するためには、短文メッセージ（Short Message Service；ＳＭＳ）の形態で伝達するため、短文メッセージで受信された情報は、移動通信端末装置内で単純なメッセージとして格納され、この場合、金融情報及びエンターテイメントバナーなどのマルチメディア情報を見せ続けることはできない。
【０００４】
現在の無線インターネットサービスシステムは、移動通信端末装置のカラー画面の採用、移動通信携帯端末の高仕様化及び無線インターネットの速度の発展などによるマルチメディア情報の利用が増加しているのが現状である。
【０００５】
また、従来の情報送信は、ユーザが設定した情報ではなく、特化した情報に限ってＳＭＳサービスを介して情報を伝達するので、多様な金融情報及びエンターテイメント情報をユーザが設定して用いることができないという問題点がある。
【０００６】
また、従来の短文メッセージサービスを利用した情報送信サービスは、一回に送信できるデータの量が制限されるので、オーディオやビデオタイプの情報をユーザに伝達できないという問題がある。
【０００７】
また、従来の短文メッセージサービスを利用した情報送信サービスは、単純に情報を伝達することでそのサービスが終了し、ハイパーリンク機能により、関連した無線インターネットサイトと接続する方式のユーザと相互作用ができないという問題がある。
【０００８】
また、従来の情報提供は、ユーザ自ら移動通信携帯端末に内蔵されたインターネット接続アプリケーションまたはブラウザーを用いて接続しないと情報獲得が可能でなく、ユーザ別に特化した情報の提供が不可能であるという問題がある。
【０００９】
上記のような従来の問題点を解決するために、本発明の出願人が出願して登録された韓国登録特許第３９１２９１号がある。
【００１０】
韓国登録特許第３９１２９１号には、移動通信端末装置に提供するためのコンテンツ情報を、移動通信網を介して送信するのに適したメッセージフォーマットに変換し、変換したスライディングメッセージを移動通信端末装置に送信して、ユーザがコンテンツ情報を確認できるようになる。
【００１１】
しかしながら、韓国登録特許第３９１２９１号には、コンテンツ情報がディスプレイされるテンプレートの構成方法または情報提供方法の具体的な実施形態が開示されていない。
【００１２】
上記のような従来の問題点を解決するために、本出願人は「移動通信端末装置のための待ち受け画面リソース制御並びに運用装置及び方法」について国際出願（ＰＣＴ／ＫＲ２００４／０００８９７）を行ったことがある。
【００１３】
それには、移動通信端末機のリソースと運用に関する事項として、テンプレートの構成方法及び情報提供方法が開示されているだけで、移動通信端末機、ＷＥＢまたはＷＡＢ（Wireless Application Protocol）において待ち受け画面の情報表示の変更についての具体的な事項はなかった。
【発明の開示】
【発明が解決しようとする課題】
【００１４】
上述の問題点を解決するため、本発明は、移動通信端末機において待ち受け画面のテンプレートを変更することにより、ユーザの好みに合わせて移動通信端末機の待ち受け画面を構成することができる方法及びその機能を有する移動通信端末機を提供することにある。
【００１５】
本発明の他の目的は、ＷＥＢまたはＷＡＰにおいて待ち受け画面のテンプレートを変更することにより、ユーザの好みに合わせて移動通信端末機の待ち受け画面を構成することができる方法を提供することにある。
【課題を解決するための手段】
【００１６】
上述した目的を達成するために、本発明に係る移動通信端末機の待ち受け画面用テンプレートの変更方法は、（ａ）移動通信端末機の待ち受け画面に表示するために、既設定のいずれか一つのテンプレートタイプを選択するステップと、（ｂ）選択したテンプレートタイプに応じてチャネルが構成されるステップと、（ｃ）チャネルが構成されたテンプレートタイプで既表示のテンプレートタイプから変更されたテンプレートタイプに変更されるステップと、を含むことを特徴とする。
また、本発明に係る移動通信端末機の待ち受け画面のテンプレートの変更方法をコンピュータで実行させるためのプログラムを記録したコンピュータで読み取り可能な記録媒体は、（ａ）移動通信端末機の待ち受け画面に表示するために、既設定のいずれか一つのテンプレートタイプを選択するステップと、（ｂ）選択したテンプレートタイプに応じてチャネルが構成されるステップと、（ｃ）選択されたテンプレートタイプが表示されるステップと、を含むことを特徴とする。
ここで、前述の（ａ）ステップのテンプレートタイプの選択は、移動通信端末機内のテンプレートタイプ変更応用プログラムを用いて選択するか、あるいはＷＥＢまたはＷＡＢを介して選択されることが好ましい。
【００１７】
ここで、上述の応用プログラムを介してテンプレートタイプが変更される場合は、変更されたテンプレートタイプに該当するテンプレートタイプコードがサービスサーバに送信され、ＷＥＢまたはＷＡＢを介してテンプレートタイプが変更される場合は、変更されたテンプレートタイプに該当するテンプレートタイプコードをサービスサーバから移動通信端末機に送信することが好ましい。
【００１８】
ここで、上述の（ｂ）ステップの後、（ｂ−１）構成された各々のチャネルにコンテンツ情報が設定されているか否かを検査するステップと、（ｂ−２）（ｂ−１）ステップの後、コンテンツ情報が設定されていないチャネルがある場合、所望のコンテンツ情報がチャネルに割り当てられるように設定するステップと、をさらに含むことが好ましい。
【００１９】
ここで、上述の（ｂ−２）ステップの所望のコンテンツ情報がチャネルに割り当てられることは、サービスサーバに要請してサービスサーバから伝送されるか、あるいは既受信の移動通信端末機内のコンテンツ情報を選択して割り当てることが好ましい。
【００２０】
ここで、上述のサービスサーバに要請されるコンテンツ情報はコンテンツコードで送信されることが好ましい。
【００２１】
ここで、上述の選択したテンプレートタイプに含まれたチャネルは、文字またはイメージが移動しつつ表示されるスライディング領域またはイメージまたは動映像が表示されるマルチメディア領域であることが好ましい。
【００２２】
また、本発明に係る待ち受け画面用テンプレートタイプを変更することができる移動通信端末機は、待ち受け画面に表示するために、既設定のいずれか一つのテンプレートタイプを選択する選択手段と、選択したテンプレートタイプに応じてチャネルが構成されるチャネル構成手段と、選択されたテンプレートタイプが表示される表示手段とを含むことを特徴とする。
【００２３】
ここで、上述のテンプレートタイプの選択は、移動通信端末機内のテンプレートタイプ変更応用プログラムを用いて選択するか、あるいはＷＡＢを介して選択されることが好ましい。
【００２４】
ここで、上述の応用プログラムを介してテンプレートタイプが変更される場合は、変更されたテンプレートタイプに該当するテンプレートタイプコードがサービスサーバに送信され、ＷＥＢまたはＷＡＢを介してテンプレートタイプが変更される場合は、変更されたテンプレートタイプに該当するテンプレートタイプコードがサービスサーバから移動通信端末機に送信されることが好ましい。
【００２５】
ここで、上述の各々のチャネルにコンテンツ情報が設定されているか否かを検査するチャネル検査手段と、チャネル検査手段により、コンテンツ情報が設定されていないチャネルがあると判断される場合、所望のコンテンツ情報がチャネルに割り当てられるように設定するチャネル割り当て手段と、をさらに備えることが好ましい。
【００２６】
ここで、上述の所望のコンテンツ情報がチャネルに割り当てられることは、サービスサーバに要請してサービスサーバから伝送されるか、既受信の移動通信端末機内のコンテンツ情報を選択して割り当てることが好ましい。
【００２７】
ここで、上述のサービスサーバに要請されるコンテンツ情報は、コンテンツコードで送信されることが好ましい。
【００２８】
ここで、上述の選択したテンプレートタイプに含まれたチャネルは、文字またはイメージが移動しつつ表示されるスライディング領域またはイメージまたは動映像が表示されるマルチメディア領域であることが好ましい。
【００２９】
また、本発明に係る移動通信端末機の待ち受け画面のテンプレートタイプ追加または削除方法は、（ａ）移動通信端末機の待ち受け画面に表示されるテンプレートタイプを追加または削除するステップと、（ｂ）選択したテンプレートタイプを追加または削除するために、サービスサーバと通信するステップと、（ｃ）テンプレートタイプが追加または削除された結果に応じて、移動通信端末機の待ち受け画面を構成して表示するステップと、を含むものの、上述の（ａ）ステップのテンプレートタイプの追加または削除は、移動通信端末機内のテンプレートタイプ変更応用プログラムを利用するか、ＷＥＢまたはＷＡＢを介して追加または削除することを特徴とする。
【００３０】
ここで、上述の（ｂ）ステップの後、（ｂ−１）追加または削除しようとするテンプレートタイプがサービスサーバに存在しているか否かを検査するステップと、（ｂ−２）（ｂ−１）ステップ後、移動通信端末機の待ち受け画面のテンプレートタイプの変更プログラムから追加または削除するテンプレートタイプ情報をサービスサーバに伝送するステップと、をさらに含むことが好ましい。
【００３１】
ここで、（ｂ−２）ステップ後、（ｂ−２１）削除したテンプレートタイプが現在待ち受け画面のテンプレートタイプであるか否かを検査するステップと、
（ｂ−２２）（ｂ−２１）ステップの結果に応じて、削除したテンプレートタイプを除いた基本テンプレートタイプでコンテンツ情報がチャネルに割り当てられるように構成するステップと、をさらに含むことが好ましい。
【００３２】
本発明の上記目的及び他の目的は、以下の詳細な記述からさらに明確になるであろう。しかしながら、理解されるべきことは、詳細な説明及び特定の例示は、本発明の好ましい実施形態ではあるが、例示目的のためにのみ提供されるものであって、本発明の主旨とその範囲内で様々な変更及び改変がこの詳細な説明から当業者に明らかとなるであろうことである。
【発明の効果】
【００３３】
本発明は、ユーザの好みに合わせて移動通信端末機の待ち受け画面を構成し得るように、移動通信端末機において待ち受け画面のテンプレートを変更する方法を提供することにその効果がある。
【００３４】
また、本発明は、ユーザの好みに合わせて移動通信端末機の待ち受け画面を構成し得るように、ＷＥＢまたはＷＡＰにおいて待ち受け画面のテンプレートを変更する方法を提供することにその効果がある。
【発明を実施するための最良の形態】
【００３５】
図１は、本発明に係る移動通信端末機の待ち受け画面のテンプレートを変更するためのシステムブロック図である。
【００３６】
同図に示すように、移動通信端末機の待ち受け画面のテンプレートを変更するためのシステムは、クライアント１１０、移動通信社サーバ１２０及びサービスサーバ１３０を備えて構成される。
【００３７】
クライアント１１０は、移動通信端末機であるＰＤＡ（Personal Digital Assistants）１０１、携帯電話１０２、個人用端末機１０３のうちのいずれか一つでありうる。
【００３８】
移動通信社サーバ１２０は、クライアントで設定された待ち受けモード画面に対する無線インターネット、有線インターネットを介して待ち受け画面のテンプレートを変更するように設定するための中間段階として機能する。
【００３９】
ここで、ＷＡＢにおいて待ち受け画面の変更を行うためには、移動通信社サーバとともにゲートウェイサーバがさらに備えられて構成されることができる。
【００４０】
サービスサーバ１３０は、待ち受け画面を設定するための短文メッセージでプッシュ（PUSH）またはプール（PULL）サービスを担当する。
【００４１】
すなわち、クライアント１１０は、無線インターネットまたは有線インターネットを用いて、短文メッセージで移動通信端末機の待ち受け画面のテンプレートを変更するように構成するサービスである。
【００４２】
図２は、本発明に係る移動通信端末機の待ち受け画面に表示するテンプレートタイプを変更するための方法を示すフローチャートである。
【００４３】
同図に示すように、ユーザは、移動通信端末機の待ち受け画面に表示するために、既設定のいずれか一つのテンプレートタイプを選択する（Ｓ２０１ａ）。
【００４４】
ここで、ユーザは、移動通信端末機の待ち受け画面を制御するための応用プログラムを用いて、テンプレートタイプを選択することができ、ＷＥＢまたはＷＡＢを介して移動通信端末機の待ち受け画面を表示するためのテンプレートタイプを選択できる。
【００４５】
また、移動通信端末機を用いてユーザがテンプレートタイプを選択すれば、移動通信端末機の応用プログラムでは、テンプレートタイプに該当するテンプレートコードをサービスサーバに送信し、サービスサーバでテンプレートコードを更新する。
【００４６】
ここで、移動通信端末機を用いずに、ＷＥＢまたはＷＡＢを用いる場合には、ユーザが変更するために選択したテンプレートタイプに対するテンプレートコードをサービスサーバに送信し、サービスサーバでは、ユーザ別テンプレートコードを更新し、ユーザの移動通信端末機の待ち受け画面のテンプレートタイプを変更するために、サービスサーバでＷＥＢまたはＷＡＰで選択したテンプレートタイプに対するテンプレートコードを移動通信端末機にプッシュして、移動通信端末機でテンプレートコードが更新される。
【００４７】
移動通信端末機の待ち受け画面用応用プログラムでは、テンプレートタイプに応じてチャネルが構成される（Ｓ２０２ａ）。
【００４８】
すなわち、ユーザが移動通信端末機の待ち受け画面用テンプレートタイプを変更すると、応用プログラムではテンプレートタイプが更新され、更新されたテンプレートタイプに設定されているチャネルが変更される。
【００４９】
変更されたテンプレートタイプに応じて各々チャネルが設定されているか否かを検査し、検査結果に応じてチャネルが設定されていない場合、チャネルを設定するためのメッセージが現れるようになる。
【００５０】
このように、メッセージが現れることで、ユーザは、所望のコンテンツ情報がチャネルに割り当てられ得るように設定を行い、ユーザが受信しようとするコンテンツ情報がない場合には、移動通信端末機の応用プログラムからサービスサーバにコンテンツ情報に該当するコンテンツコードを送信する。
【００５１】
このようにすることにより、サービスサーバは、移動通信端末機にコンテンツに対するコードを更新する。
【００５２】
サービスサーバは、移動通信端末機の待ち受け画面に表示するテンプレートタイプに応じてチャネルが構成され、構成されたチャネルに対する各々のコンテンツ情報を短文字サービス形態の文字で構成して、移動通信端末機にプッシュする。
【００５３】
このような一連の過程を行うことにより、移動通信端末機の待ち受け画面に表示するためのテンプレートタイプが変更されて表示される（Ｓ２０３ａ）。
【００５４】
図３は、本発明に係る移動通信端末機の待ち受け画面に表示するテンプレートタイプを追加／削除するための方法を示すフローチャートである。
【００５５】
同図に示すように、ユーザは、移動通信端末機の待ち受け画面に表示するために新しくテンプレートを追加するか、あるいは既設定のテンプレートタイプを削除するためにテンプレートタイプを選択する（Ｓ２０１ｂ）。
【００５６】
ここで、ユーザは、移動通信端末機の待ち受け画面を制御するための応用プログラムを用いて、テンプレートタイプを追加／削除でき、ＷＥＢまたはＷＡＢを介して移動通信端末機の待ち受け画面を表示するためのテンプレートタイプを追加／削除できる。
【００５７】
移動通信端末機の待ち受け画面用応用プログラムでは、テンプレートタイプを追加または削除するためのサービスサーバと移動通信端末機との間の同期化が行われる（Ｓ２０２ｂ）。
【００５８】
すなわち、移動通信端末機を用いてユーザがテンプレートタイプを追加／削除すれば、移動通信端末機の応用プログラムでは、テンプレートタイプに該当するテンプレートコードをサービスサーバに送信し、サービスサーバでテンプレートコードを更新する。
【００５９】
ここで、移動通信端末機を用いずに、ＷＥＢまたはＷＡＢを用いる場合には、ユーザが追加／削除するために選択したテンプレートタイプに対するテンプレートコードをサービスサーバに送信し、サービスサーバでは、ユーザ別テンプレートコードを更新し、ユーザの移動通信端末機の待ち受け画面のテンプレートタイプを追加／削除するために、サービスサーバからＷＥＢまたはＷＡＰにおいて選択したテンプレートタイプに対するテンプレートコードを移動通信端末機にプッシュして、移動通信端末機でテンプレートコードが更新される。
【００６０】
また、ユーザが移動通信端末機の待ち受け画面用テンプレートタイプを追加／削除すれば、応用プログラムでは、テンプレートタイプが追加／削除され、追加／削除されたテンプレートタイプに設定されているチャネルが変更される。
【００６１】
追加／削除されたテンプレートタイプに応じて、各々チャネルが設定されているか否かを検査するようになり、検査結果に応じて、チャネルが設定されていない場合、チャネルを設定するためのメッセージが現れる。
【００６２】
このように、メッセージが現れることにより、ユーザは、所望のコンテンツ情報がチャネルに割り当てられ得るように設定を行い、ユーザが受信しようとするコンテンツ情報がない場合には、移動通信端末機の応用プログラムからサービスサーバにコンテンツ情報に該当するコンテンツコードを送信するようになる。
【００６３】
このようにすることにより、サービスサーバは、移動通信端末機でコンテンツに対するコードを更新する。
【００６４】
サービスサーバは、移動通信端末機の待ち受け画面に表示するテンプレートタイプに応じてチャネルが構成され、構成されたチャネルに対する各々のコンテンツ情報を短文字サービス形態の文字で構成して、移動通信端末機にプッシュする。
【００６５】
このような一連の過程を行うことにより、移動通信端末機の待ち受け画面に表示するためのテンプレートタイプが追加／削除されて表示される（Ｓ２０３ｂ）。
【００６６】
図４は、本発明に係る移動通信端末機に備えられた待ち受け画面用応用プログラムを用いてテンプレートタイプを変更するための手順を示すシーケンス図である。
【００６７】
同図に示すように、ユーザは、移動通信端末機から移動通信端末機の待ち受け画面に表示するために、既設定のいずれか一つのテンプレートタイプを選択する（３０１）。
【００６８】
移動通信端末機から選択されたテンプレートタイプに対するテンプレートコードをサービスサーバに送信する（３０２）。
【００６９】
すなわち、テンプレートタイプは、待ち受け画面にユーザが容易に識別できるようにするために、多様なテンプレートタイプを用意する。
【００７０】
かかる多様なテンプレートタイプを識別するための識別コードとして、テンプレートコードが存在する。
【００７１】
結局、各々多様なテンプレートに応じて対応するテンプレートコードを活用することにより、移動通信端末機とサービスサーバとの間のデータ量を減少させる。
【００７２】
サービスサーバで既存のテンプレートコードを受信されたテンプレートコードに更新する（３０３）。
【００７３】
移動通信端末機でユーザが選択したテンプレートタイプに応じてチャネルが構成される（３０４）。
【００７４】
移動通信端末機において待ち受け画面に表示されるためのテンプレートタイプには、各々チャネルが割り当てられている。
【００７５】
各々のチャネルに多様なコンテンツが割り当てられ、チャネルを介してコンテンツ情報が移動通信端末機に送信されて待ち受け画面に表示される。
【００７６】
結局、ユーザがテンプレートタイプを変更すれば、チャネルが追加されるか、あるいは減少し、これによりコンテンツ情報が追加されるか、あるいは減少する。
【００７７】
すなわち、チャネルにコンテンツ情報を割り当てるための識別コードとしてコンテンツコードが存在する。
【００７８】
そのため、移動通信端末機の待ち受け画面用応用プログラムでは、チャネル構成を行う場合、各々のチャネルに構成されなければならないコンテンツ情報に対する設定が正確に行われているか否かを検査する（３０５）。
【００７９】
検査結果に応じて、テンプレートタイプに構成されているチャネルにコンテンツコードが割り当てられていない場合には、サービス提供者が基本的に推奨する設定を使用するか、ユーザにとってチャネルにコンテンツコードが割り当てられていないということを認知するように、コンテンツ未設定メッセージを待ち受け画面に表示するように送る（３０６）。
【００８０】
仮に、ユーザが移動通信端末機の待ち受け画面に既設定されていないコンテンツ情報を受信しようとする場合には、移動通信端末機にリストとして現れているコンテンツ項目の中から受信を望むコンテンツを選択して、受信設定を行う（３０７）。
【００８１】
このようにすることにより、移動通信端末機では、受信を望むコンテンツ情報に対応するコンテンツコードをサービスサーバに送信する（３０８）。
【００８２】
サービスサーバでは、受信されたコンテンツコードを分析して、ユーザが選択したテンプレートタイプに構成されるチャネルにコンテンツコードを更新して変更する（３０９）。
【００８３】
このように、すべての作業が行われると、移動通信端末機の待ち受け画面応用プログラムは、待ち受け画面に表示されるテンプレートタイプを変更する（３１０）。
【００８４】
図５は、本発明に係るＷＥＢまたはＷＡＰにおいて移動通信端末機の待ち受け画面に表示されるテンプレートタイプを変更するための手順を示すシーケンス図である。
【００８５】
同図に示すように、ユーザは、ＷＥＢまたはＷＡＰにおいて移動通信端末機の待ち受け画面に表示するために、既設定のいずれか一つのテンプレートタイプを選択する（３１１）。
【００８６】
ＷＥＢまたはＷＡＰにおいて、ユーザが選択したテンプレートタイプに該当するテンプレートコードをサービスサーバに送信する（３１２）。
【００８７】
サービスサーバでは、受信されたテンプレートコードを分析して、サービスサーバで管理されている個人別テンプレートコードを更新する（３１３）。
【００８８】
サービスサーバでテンプレートコードが更新された後、テンプレートタイプの変更を指示するための短文字サービスタイプで文字を構成して、移動通信端末機にプッシュする（３１４）。
【００８９】
移動通信端末機では、サービスサーバからプッシュされた短文字サービスを分析して、テンプレートコードを更新して変更する（３１５）。
【００９０】
移動通信端末機でユーザが選択したテンプレートタイプに応じてチャネルが構成される（３１６）。
【００９１】
移動通信端末機において待ち受け画面に表示されるためのテンプレートタイプには、各々チャネルが割り当てられている。
【００９２】
各々のチャネルに多様なコンテンツが割り当てられ、チャネルを介してコンテンツ情報が移動通信端末機に送信されて待ち受け画面に表示される。
【００９３】
結局、ユーザがテンプレートタイプを変更すれば、チャネルが追加されるか、あるいは減少し、これによりコンテンツ情報が追加されるか、あるいは減少する。
【００９４】
すなわち、チャネルにコンテンツ情報を割り当てるための識別コードとして、コンテンツコードが存在する。
【００９５】
そのため、移動通信端末機の待ち受け画面用応用プログラムでは、チャネル構成を行う場合、各々のチャネルに構成されなければならないコンテンツ情報に対する設定が正確に行われているか否かを検査する（３１７）。
【００９６】
検査結果に応じて、テンプレートタイプに構成されているチャネルにコンテンツコードが割り当てられていない場合には、サービス提供者が基本的に推奨する設定を使用するか、ユーザにとってチャネルにコンテンツコードが割り当てられていないということを認知するように、コンテンツ未設定メッセージを待ち受け画面に表示するように送る（３１８）。
【００９７】
仮に、ユーザが移動通信端末機の待ち受け画面に既設定されていないコンテンツ情報を受信しようとする場合には、ＷＥＢまたはＷＡＰにリストとして現れているコンテンツ項目の中から受信を望むコンテンツを選択して設定を行う（３１９）。
【００９８】
このようにすることにより、ＷＥＢまたはＷＡＰにおいて、移動通信端末機で受信を望むコンテンツ情報に対応するコンテンツコードをサービスサーバに送信する（３２０）。
【００９９】
サービスサーバでは、受信されたコンテンツコードを分析して、ユーザが選択したテンプレートタイプに構成されるチャネルにコンテンツコードを更新して変更する（３２１）。
【０１００】
サービスサーバでコンテンツコードを更新する作業が行われた後、移動通信端末機にコンテンツコードを短文字サービス形態で構成してプッシュする（３２２）。
【０１０１】
移動通信端末機でコンテンツコードを更新して変更する（３２３）。
【０１０２】
このように、すべての作業が行われると、移動通信端末機の待ち受け画面用応用プログラムは、待ち受け画面に表示されるテンプレートタイプを変更する（３２４）。
【０１０３】
図６は、本発明に係る移動通信端末機に備えられた待ち受け画面用応用プログラムを用いてテンプレートタイプを削除するための手順を示すシーケンス図である。
【０１０４】
同図に示すように、ユーザは、移動通信端末機の待ち受け画面のテンプレートの中から削除しようとするテンプレートタイプを選択する（３２１）。
【０１０５】
ここで、移動通信端末機の多様なテンプレートタイプを識別するための識別コードとしてテンプレートコードが存在し、各々多様なテンプレートに応じて対応するテンプレートコードを活用することにより、移動通信端末機とサービスサーバとの間のデータ量を減少させる。
【０１０６】
移動通信端末機は、サービスサーバにユーザが削除しようとするテンプレートタイプに対応するテンプレートコードをサービスサーバに送信する（３２２）。
【０１０７】
サービスサーバでユーザごとに設定されたテンプレートコードリストから上述のテンプレートタイプコードを削除する（３２３）。
【０１０８】
このような過程によって、ユーザは、移動通信端末機に格納されたテンプレートタイプを削除することができる。
【０１０９】
図７は、本発明に係る移動通信端末機に備えられた待ち受け画面用応用プログラムを用いてテンプレートタイプを追加するための手順を示すシーケンス図である。
【０１１０】
同図に示すように、ユーザは、待ち受け画面のテンプレートを追加しようとする場合、移動通信端末機に備えられたテンプレート追加メニューを選択する（３３１）。
【０１１１】
移動通信端末機は、サービスサーバと接続して、追加するテンプレートタイプがあるのか、追加テンプレートコードをサービスサーバに要請する（３３２）。
【０１１２】
サービスサーバは、移動通信端末機で要請を分析して、追加できるテンプレートタイプがあるか否かを検査する（３３３）。
【０１１３】
サービスサーバは、追加するテンプレートタイプが存在すれば、移動通信端末機に追加テンプレートコードを送信する（３３４）。
【０１１４】
ここで、サービスサーバは、移動通信端末機に追加できるテンプレートタイプを全て送信することではなく、テンプレートタイプを簡単に確認することができるプレビュー（ｐｒｅｖｉｅｗ）程度の画面を提供するための送信である。
【０１１５】
追加できるプレビュー形態のテンプレートタイプをユーザが確認し、追加するテンプレートタイプを選択する（３３５）。
【０１１６】
移動通信端末機は、追加するテンプレートコードをサービスサーバに要請する（３３６）。
【０１１７】
サービスサーバは、移動通信端末機に追加するテンプレートコードを送信する（３３７）。
【０１１８】
このような過程を行って、移動通信端末機は、新しいテンプレートタイプをサービスサーバから持続的に追加できるようになる。
【０１１９】
図８は、本発明に係るＷＥＢまたはＷＡＰにおいて移動通信端末機の待ち受け画面に表示されるテンプレートタイプを追加／削除するための手順を示すシーケンス図である。
【０１２０】
同図に示すように、ユーザは、ＷＥＢまたはＷＡＰにおいて移動通信端末機の待ち受け画面のテンプレートの中から削除または追加しようとするテンプレートタイプを選択する（３４１）。
【０１２１】
ＷＥＢまたはＷＡＰにおいてユーザが追加または削除しようとするテンプレートタイプに対応するテンプレートコードをサービスサーバに送信する（３４２）。
【０１２２】
サービスサーバは、ＷＥＢまたはＷＡＢのテンプレート追加または削除要請を分析して、追加または削除できるテンプレートタイプがあるか否かを検査する（３４３）。
【０１２３】
サービスサーバでは、移動通信端末機にユーザがＷＥＢまたはＷＡＰにおいて追加または削除したテンプレートコードを移動通信端末機にＳＭＳ形態のメッセージで構成してプッシュする（３４４）。
【０１２４】
移動通信端末機は、サービスサーバでプッシュされたメッセージを分析して、移動通信端末機のテンプレートタイプを追加または削除する。
【０１２５】
図９は、本発明に係る移動通信端末機の待ち受け画面に表示されるテンプレートタイプを変更するための手段を備えて構成される移動通信端末機のブロック図である。
【０１２６】
同図に示すように、移動通信端末機４１０は、選択手段４１１、チャネル構成手段４１２及び表示手段４１３を備える。
【０１２７】
選択手段４１１は、移動通信端末機４１０の待ち受け画面に表示するために、既設定のいずれか一つのテンプレートタイプを選択するようにするためのものであり、チャネル構成手段４１２は、先に選択されたテンプレートタイプに応じてチャネルを構成するためのものであり、表示手段４１３は、先に選択されたテンプレートタイプが表示されるようにするためのものである。
【０１２８】
すなわち、ユーザが選択手段４１１を用いて移動通信端末機のテンプレートタイプを決定し、チャネル構成手段４１２を用いて選択されたテンプレートタイプにチャネルを構成し、各々のチャネルに各々のコンテンツ情報を込め、表示手段４１３を用いてユーザが認知できるように画面を構成することである。
【０１２９】
図１０は、本発明に係る移動通信端末機の待ち受け画面に表示されるテンプレートタイプを追加または削除するための手段を備えて構成される移動通信端末機のブロック図である。
【０１３０】
同図に示すように、移動通信端末機４２０は、選択手段４２１、通信手段４２２及び表示手段４２３を備える。
【０１３１】
選択手段４２１は、移動通信端末機４２０の待ち受け画面に表示されるテンプレートタイプを追加するか、あるいは既格納のテンプレートタイプを削除するためにテンプレートタイプを選択するためのものであり、通信手段４２２は、先に選択されたテンプレートタイプを追加または削除するためにサービスサーバと接続し、テンプレートタイプコードまたは制御コードを送受信するためのものであり、表示手段４２３は、先に追加されたテンプレートタイプを表示するか、あるいは削除されたテンプレートタイプの代わりに基本的なテンプレートタイプを表示するためのものである。
【０１３２】
すなわち、ユーザが選択手段４２１を用いて移動通信端末機のテンプレートタイプを追加または削除するために決定し、通信手段４２２を用いて移動通信端末機のテンプレートタイプを追加または削除するための作業をサービスサーバと短文字サービスを用いて送受信し、表示手段４２３を用いて移動通信端末機の待ち受け画面用テンプレートタイプを追加または削除した後、追加のときには、追加したテンプレートタイプを表示し、削除のときには、削除したテンプレートタイプを除いた基本的に既設定のテンプレートタイプでチャネルを構成して表示する。
【０１３３】
図１１は、本発明に係る移動通信端末機の待ち受け画面の基本的な構成要素を示すブロック図である。
【０１３４】
同図に示すように、移動通信端末機の待ち受け画面５００は、スライディング領域５０１、マルチメディア領域５０２及びアイコン領域５０３で構成される。
【０１３５】
スライディング領域５０１は、基本２個のラインで構成され、スライディング領域５０１のデータが周期的に右側から左側へスライディングされつつ見える領域である。
【０１３６】
ここで、スライディング領域５０１には、リアルタイム放送（data Push & Pull）テキスト情報が表示されるか、あるいはリアルタイム広告若しくは広告イメージがスライディングされる。
【０１３７】
マルチメディア領域５０２は、ユーザの設定によって４個以上のコンテンツ情報を図示できるが、移動通信端末機の電力が過度に消費され、今までは移動通信端末機の性能が十分でないから、最大４個のコンテンツ情報をイメージ形態で表示するのが好ましい。
【０１３８】
アイコン領域５０３は、小さなアイコン形態でメインメニューを実行するために提供されるものであって、「全体サービス−設定−ライブ」とアイコン配列の右側に「ＣＬＲ：上位」及び「＃：情報保管」などの文字タイプで表示される。
【０１３９】
ここで、スライディングまたはマルチメディア領域とアイコン領域のフォーカス移動は、循環される。
【０１４０】
結局、本発明によってテンプレートタイプが変更されることは、上述のスライディング領域５０１とマルチメディア領域５０２を多様なタイプのテンプレートタイプで表示する。
【０１４１】
テンプレートタイプについては、図１２〜図１７にて詳細に説明する。
【０１４２】
図１２〜図１７は、本発明に係る移動通信端末機の待ち受け画面に表示されるテンプレートタイプを示すブロック図である。
【０１４３】
図１２のテンプレートタイプは、４分割テンプレート（Active）形態の待ち受け画面用テンプレートタイプである。
【０１４４】
同図に示すように、４分割テンプレートタイプ６００ａは、２個のスライディングテキスト領域Ｌ１−(4)、Ｌ２−(4)、１個のスライディングイメージ領域Ｂ−(2)及び４個のイメージ領域Ｉ１−(1)、Ｉ２−(1)、Ｉ３−(1)、Ｉ４−(1)で構成される。なお、同図において、上記(1)〜(4)は、それぞれ、対応する数字を○で囲む記号によって表記される（以降の図も同様）。
【０１４５】
図１３のテンプレートタイプは、かたまりテンプレート（Easy View）形態の待ち受け画面用テンプレートタイプである。
【０１４６】
同図に示すように、かたまりテンプレートタイプ６００ｂは、２個のスライディングテキスト領域Ｌ１−(4)、Ｌ２−(4)、１個のスライディングイメージ領域Ｂ−(2)及び１個のイメージ領域Ｉ１−(1)で構成される。
【０１４７】
図１４のテンプレートタイプは、かたまりテンプレート形態の待ち受け画面用テンプレートタイプである。
【０１４８】
同図に示すように、スライディングテキストテンプレートタイプ６００ｃは、８個のスライディングテキスト領域Ｌ１−(1)〜Ｌ８−(1)と１個のスライディングイメージ領域Ｂ−(2)で構成される。
【０１４９】
ここで、スライディングテキストテンプレートタイプ６００ｃは、ニュースまたは株価情報のように簡潔なリストが優先視されるユーザに有用なテンプレートタイプである。
【０１５０】
図１５のテンプレートタイプは、２分割テンプレート（couple）形態の待ち受け画面用テンプレートタイプである。
【０１５１】
図１５に示すように、分割テンプレートタイプ６００ｄは、２個のスライディングテキスト領域Ｌ１−(1)、Ｌ２−(1)、１個のスライディングイメージ領域Ｂ−(2)及び２個のイメージ領域Ｉ１−(2)、Ｉ２−(2)で構成される。
【０１５２】
図１６のテンプレートタイプは、部分テキストテンプレート（Partial Text）形態の待ち受け画面用テンプレートタイプである。
【０１５３】
図１６に示すように、部分テキストテンプレートタイプ６００ｅは、２個のスライディングテキスト領域Ｌ１−(1)、Ｌ２−(1)、１個のスライディングイメージ領域Ｂ−(2)及びＯＥＭ壁紙（OEM Wall paper）で構成される。
【０１５４】
図１７のテンプレートタイプは、部分スクリーンテンプレート（Partial Screen）形態の待ち受け画面用テンプレートタイプである。
【０１５５】
図１７に示すように、部分スクリーンテンプレートタイプ６００ｆは、１個のイメージ領域Ｉ１−(1)とＯＥＭウォール・ペーパーで構成される。
【０１５６】
図１８は、本発明に係る移動通信端末機の待ち受け画面用テンプレートタイプを変更するためのＷＥＢ画面を示すものである。
【０１５７】
同図に示すように、ＷＥＢ画面７００は、コンテンツを設定するための画面７０１とテンプレートタイプを設定するための画面７０２とで構成される。
【０１５８】
ここで、コンテンツを設定するための画面７０１は、移動通信端末機からスライディング領域あるいはマルチメディア領域にサービスするための多様なコンテンツを選択する。
【０１５９】
また、テンプレートタイプを設定するための画面７０２は、先の図１２〜図１７に示す多様なテンプレートタイプを選択するように提供される。
【０１６０】
ここで、各々のテンプレートタイプに応じて設定されるチャネルが異なるため、テンプレートタイプを選択した後にフォーカスを移動することにより、チャネルに関する設定も可能になる。
【０１６１】
図１９は、本発明に係る移動通信端末機の待ち受け画面用テンプレートタイプを追加／削除するためのＷＥＢ画面を示す図である。
【０１６２】
同図に示すように、ＷＥＢ画面７１０は、テンプレートタイプをプレビューできる領域７１１と、各個人別に構成できるテンプレートタイプと追加できるテンプレートタイプをひと目で分かることができるテンプレートタイプリスト７１３とを備える。
【０１６３】
ここで、ユーザは、テンプレートタイプナビゲーター７１２を用いてテンプレートタイプをプレビューでき、プレビューするテンプレートタイプは、リストに選択バー７１４を用いて、現在選択されたテンプレートタイプ名称を容易に認識できる。
【０１６４】
また、現在各個人別にテンプレートタイプが選択されているか７１５ｂ、または新規追加できるテンプレートタイプがあるのか７１５ａをひと目で認識できるようになる。
【０１６５】
すなわち、テンプレートタイプを選択できるコンボボックス７１５ａ、７１５ｂを選択または解除することにより、移動通信端末機のテンプレートタイプを容易に追加または削除できる。
【０１６６】
図２０は、本発明に係る移動通信端末機の待ち受け画面用テンプレートタイプを変更するためのＷＡＢまたは移動通信端末機のテンプレート設定画面を示す図である。
【０１６７】
同図に示すように、テンプレート設定画面８００は、テンプレートタイプを設定するために、画面の上段にテンプレートタイプを選択するためのテンプレート選択部８０１を備える。
【０１６８】
ここで、方向キーまたはこれに相応するボタンを用いて、テンプレート選択部８０１で多様なテンプレートタイプを選択できる。
【０１６９】
図２１は、本発明に係る移動通信端末機の待ち受け画面用テンプレートタイプに既設定のチャネルにコンテンツを割り当てる一例を説明するために示す図である。
【０１７０】
同図に示すように、コンテンツ設定画面９２０ａは、コンテンツを割り当てるために、現在受信されているコンテンツリスト９２１ａとコンテンツ選択部９２２ａを備えて構成される。
【０１７１】
すなわち、図２０で説明されたとおり、テンプレートタイプを設定するための移動通信端末機のテンプレートタイプ設定画面９１０ａからテンプレートタイプを選択し、選択したテンプレートタイプに割り当てられているスライディング領域のチャネル９１１ａを選択すれば、コンテンツを選択できるコンテンツ設定画面９２０ａに分岐する。
【０１７２】
コンテンツ設定画面９２０ａで現在移動通信端末機に受信されているコンテンツをリスト化して、コンテンツリスト９２１ａとして見せ、コンテンツ選択部９２２ａでコンテンツ側に羅列したチェックボックスを選択または取消すことにより、コンテンツを追加または削除することができる。
【０１７３】
図２２は、本発明に係る移動通信端末機の待ち受け画面用テンプレートタイプに既設定のチャネルにコンテンツを割り当てる一例を説明するために示す図である。
【０１７４】
同図に示すように、コンテンツ設定画面９２０ｂは、スライディング領域選択部９２１ｂと現在受信されているコンテンツを割り当てるためのコンテンツ選択部９２２ｂを備えて構成される。
【０１７５】
すなわち、図２０で説明したように、移動通信端末機でテンプレートタイプを設定するためのテンプレート設定画面９１０ｂからテンプレートタイプを選択し、選択したテンプレートタイプに割り当てられている２個のスライディング領域９１１ｂを同時に選択すれば、コンテンツを選択できるコンテンツ設定画面９２０ｂに分岐する。
【０１７６】
コンテンツ設定画面９２０ｂで上述の２個のスライディング領域９１１ｂのうちのいずれか一つのスライディング領域を選択するためのスライディング領域選択部９２１ｂが存在し、現在移動通信端末機に受信されているコンテンツをリスト化して、コンテンツ選択部９２２ｂに表示される。
【０１７７】
ここで、コンテンツ選択部９２２ｂで現在選択できるコンテンツを選択し、スライディング領域選択部９２１ｂにあるチャネルを選択することにより、コンテンツ選択部９２２ｂのリストにコンテンツリストとともに選択されたチャネル番号が現れる。
【０１７８】
ここで、スライディング領域選択部９２１ｂでチャネルを選択するための方法には、方向キーとこれに相応する手段を用いて選択できる。
【０１７９】
すなわち、コンテンツ選択部９２２ｂでコンテンツを選択し、選択したコンテンツに割り当てるチャネルをスライディング領域選択部９２１ｂで割り当てることにより、コンテンツを選択するか、あるいは取消すことができる。
【０１８０】
図２３は、本発明に係る移動通信端末機の待ち受け画面用テンプレートタイプに既設定のチャネルにコンテンツを割り当てる一例を説明するために示す図である。
【０１８１】
同図に示すように、コンテンツ設定画面９２０ｃは、スライディング領域選択部９２１ｃと現在受信されているコンテンツを割り当てるためのコンテンツ選択部９２２ｃとを備えて構成される。
【０１８２】
すなわち、図８、図２０で説明したように、移動通信端末機でテンプレートタイプを設定するためのテンプレート設定画面９１０ｃからテンプレートタイプを選択し、選択したテンプレートタイプに割り当てられている２個のスライディング領域９１１ｃを同時に選択すれば、コンテンツを選択できるコンテンツ設定画面９２０ｃに分岐する。
【０１８３】
コンテンツ設定画面９２０ｃで上述の２個のスライディング領域９１１ｃのうちのいずれか一つのスライディング領域を選択するためのスライディング領域選択部９２１ｃが存在するようになり、現在移動通信端末機に受信されているコンテンツをリスト化して、コンテンツ選択部９２２ｃに表示される。
【０１８４】
ここで、コンテンツ選択部９２２ｃで現在選択できるコンテンツを選択し、スライディング領域選択部９２１ｃにあるチャネルを選択することにより、コンテンツ選択部９２２ｃのリストにコンテンツリストとともに選択されたチャネル番号が現れる。
【０１８５】
ここで、スライディング領域選択部９２１ｃでチャネルを選択するための方法には、方向キーとこれに相応する手段を用いて選択できる。
【０１８６】
すなわち、コンテンツ選択部９２２ｃでコンテンツを選択し、選択したコンテンツに割り当てるチャネルをスライディング領域選択部９２１ｃで割り当てることにより、コンテンツを選択するか、あるいは取消すことができる。
【０１８７】
図２４は、本発明に係る移動通信端末機の待ち受け画面用テンプレートタイプに既設定のチャネルにコンテンツを割り当てる一例を説明するために示す図である。
【０１８８】
同図に示すように、コンテンツ設定画面９２０ｄは、現在受信されているコンテンツを割り当てるためのコンテンツ選択部９２１ｄを備えて構成される。
【０１８９】
すなわち、図８、図２０で説明したように、移動通信端末機でテンプレートタイプを設定するためのテンプレート設定画面９１０ｄからテンプレートタイプを選択し、選択したテンプレートタイプに割り当てられている１個のスライディング領域のチャネル９１１ｄを選択すれば、コンテンツを選択できるコンテンツ設定画面９２０ｄに分岐する。
【０１９０】
コンテンツ設定画面９２０ｄで現在移動通信端末機に受信されているコンテンツをリスト化して、コンテンツ選択部９２１ｄに表示される。
【０１９１】
ここで、コンテンツ選択部９２１ｄでコンテンツ選択部９２１ｄのリストとともにチェックボックスが現れる。
【０１９２】
すなわち、コンテンツ選択部９２１ｄでチェックボックスを選択するか、あるいは取消すことにより、コンテンツを選択するか、あるいは取消すようになる。
【０１９３】
図２５は、本発明に係る移動通信端末機の待ち受け画面用テンプレートタイプに既設定のチャネルにコンテンツを割り当てる一例を説明するために示す図である。
【０１９４】
同図に示すように、コンテンツ設定画面９２０ｅは、コンテンツリスト９２１ｅと現在受信されているコンテンツを割り当てるためのコンテンツ選択部９２２ｅを備えて構成される。
【０１９５】
すなわち、図２０で説明したように、移動通信端末機でテンプレートタイプを設定するためのテンプレート設定画面９１０ｅからテンプレートタイプを選択し、選択したテンプレートタイプに割り当てられているスライディング領域のチャネル９１１ｅを選択すれば、コンテンツを選択できるコンテンツ設定画面９２０ｅに分岐する。
【０１９６】
コンテンツ設定画面９２０ｅで現在移動通信端末機に受信されているコンテンツをリスト化して、コンテンツリスト９２１ｅとして見せ、下段に表示されるコンテンツ選択部９２２ｅでコンテンツを選択するか、あるいは取消すことにより、コンテンツを追加または削除することができる。
【０１９７】
図２６は、本発明に係る移動通信端末機の待ち受け画面用テンプレートタイプに既設定のチャネルにコンテンツを割り当てる一例を説明するために示す図である。
【０１９８】
同図に示すように、コンテンツ設定画面９２０ｆは、コンテンツリスト９２１ｆと現在受信されているコンテンツを割り当てるためのコンテンツ選択部９２２ｆとを備えて構成される。
【０１９９】
すなわち、図８、図２０で説明したように、移動通信端末機でテンプレートタイプを設定するためのテンプレート設定画面９１０ｆからテンプレートタイプを選択し、選択したテンプレートタイプに割り当てられているマルチメディア領域のチャネル９１１ｆを選択すれば、コンテンツを選択できるコンテンツ設定画面９２０ｆに分岐する。
【０２００】
コンテンツ設定画面９２０ｆで現在移動通信端末機に受信されているコンテンツをリスト化して、コンテンツリスト９２１ｆとして見せ、下段に表示されるコンテンツ選択部９２２ｆでコンテンツを選択するか、あるいは取消すことにより、コンテンツを追加または削除することができる。
【０２０１】
図２７は、本発明に係る移動通信端末機の待ち受け画面用テンプレートタイプに既設定のチャネルにコンテンツを割り当てる一例を説明するために示す図である。
【０２０２】
同図に示すように、コンテンツ設定画面９２０ｇは、コンテンツリスト９２１ｇと現在受信されているコンテンツを割り当てるためのコンテンツ選択部９２２ｇとを備えて構成される。
【０２０３】
すなわち、図２０で説明したように、移動通信端末機でテンプレートタイプを設定するためのテンプレート設定画面９１０ｇからテンプレートタイプを選択し、選択したテンプレートタイプに割り当てられているマルチメディア領域のチャネル９１１ｇを選択すれば、コンテンツを選択できるコンテンツ設定画面９２０ｇに分岐する。
【０２０４】
コンテンツ設定画面９２０ｇで現在移動通信端末機に受信されているコンテンツをリスト化して、コンテンツリスト９２１ｇとして見せ、下段に表示されるコンテンツ選択部９２２ｇでコンテンツを選択するか、あるいは取消すことにより、移動通信端末機でコンテンツを追加または削除することができる。
【０２０５】
図２８は、本発明に係る移動通信端末機の待ち受け画面用テンプレートタイプを削除するための一例を説明するために示す図である。
【０２０６】
同図に示すように、移動通信端末機のユーザは、移動通信端末機に備えられたテンプレートタイプ削除メニューを利用すれば、移動通信端末機のテンプレートタイプ削除画面１０１０に分岐する。
【０２０７】
ここで、テンプレートタイプ選択１０１１を行うと、それと同時にテンプレートプレビュー画面１０１２が現れ、削除したい場合には、確認ボタンをクリックすることにより削除するようになる。
【０２０８】
このような過程の詳細な説明は、上述の図６での詳細な説明を参照する。
【０２０９】
図２９は、本発明に係る移動通信端末機の待ち受け画面用テンプレートタイプを追加するための一例を説明するために示すものである。
【０２１０】
同図に示すように、移動通信端末機のユーザは、移動通信端末機に備えられたテンプレートタイプ追加メニューを利用すれば、移動通信端末機のテンプレートタイプ追加画面１０２０ａに分岐する。
【０２１１】
ここで、移動通信端末機は、サービスサーバと接続して、各個人別に新規追加できるテンプレートタイプに何があるのか、サービスサーバに追加テンプレートタイプを検査するように要請する。
【０２１２】
移動通信端末機と接続して追加できるテンプレートタイプを確認するためのプレビューのダウンロードが完了した後、ユーザは、新規追加できるテンプレートタイプに何があるのかを確認するために、ナビゲーションバー１０２１を用いて検索し、確認ボタンをクリックすることにより追加できる。
【０２１３】
このような過程の詳細な説明は、上述の図７の詳細な説明を参照する。
【０２１４】
以上特定の図解された実施形態を参照して本発明を説明したが、本発明は上記実施形態に限定されるものではなく、添付の請求項によってのみ限定される。正しく理解されるべきことは、当業者が本発明の範囲及び主旨から外れることなく当該実施形態を変更または改変可能であるということである。
【産業上の利用可能性】
【０２１５】
本発明は、ユーザの好みに合わせて移動通信端末機の待ち受け画面を構成し得るように移動通信端末機において待ち受け画面のテンプレートを変更する方法を提供する。
【０２１６】
本発明は、ユーザの好みに合わせて移動通信端末機の待ち受け画面を構成し得るようにＷＥＢまたはＷＡＰにおいて待ち受け画面のテンプレートを変更する方法を提供する。
【図面の簡単な説明】
【０２１７】
【図１】は、本発明に係る移動通信端末機の待ち受け画面のテンプレートを変更するためのシステムブロック図である。
【図２】は、本発明に係る移動通信端末機の待ち受け画面に表示するテンプレートタイプを変更するための方法を示すフローチャートである。
【図３】は、本発明に係る移動通信端末機の待ち受け画面に表示するテンプレートタイプを追加／削除するための方法を示すフローチャートである。
【図４】は、本発明に係る移動通信端末機に備えられた待ち受け画面用応用プログラムを用いてテンプレートタイプを変更するための手順を示すシーケンス図である。
【図５】は、本発明に係るＷＥＢまたはＷＡＰにおいて、移動通信端末機の待ち受け画面に表示されるテンプレートタイプを変更するための手順を示すシーケンス図である。
【図６】は、本発明に係る移動通信端末機に備えられた待ち受け画面用応用プログラムを用いてテンプレートタイプを削除するための手順を示すシーケンス図である。
【図７】は、本発明に係る移動通信端末機に備えられた待ち受け画面用応用プログラムを用いてテンプレートタイプを追加するための手順を示すシーケンス図である。
【図８】は、本発明に係るＷＥＢまたはＷＡＰにおいて移動通信端末機の待ち受け画面に表示されるテンプレートタイプを追加／削除するための手順を示すシーケンス図である。
【図９】は、本発明に係る移動通信端末機の待ち受け画面に表示されるテンプレートタイプを変更するための手段を備えて構成される移動通信端末機のブロック図である。
【図１０】は、本発明に係る移動通信端末機の待ち受け画面に表示されるテンプレートタイプを追加または削除するための手段を備えて構成される移動通信端末機のブロック図である。
【図１１】は、本発明に係る移動通信端末機の待ち受け画面の基本的な構成要素を示すブロック図である。
【図１２】は、本発明に係る移動通信端末機の待ち受け画面に表示されるテンプレートタイプを示すブロック図である。
【図１３】は、本発明に係る移動通信端末機の待ち受け画面に表示されるテンプレートタイプを示すブロック図である。
【図１４】は、本発明に係る移動通信端末機の待ち受け画面に表示されるテンプレートタイプを示すブロック図である。
【図１５】は、本発明に係る移動通信端末機の待ち受け画面に表示されるテンプレートタイプを示すブロック図である。
【図１６】は、本発明に係る移動通信端末機の待ち受け画面に表示されるテンプレートタイプを示すブロック図である。
【図１７】は、本発明に係る移動通信端末機の待ち受け画面に表示されるテンプレートタイプを示すブロック図である。
【図１８】は、本発明に係る移動通信端末機の待ち受け画面用テンプレートタイプを変更するためのＷＥＢ画面を示す図である。
【図１９】は、本発明に係る移動通信端末機の待ち受け画面用テンプレートタイプを追加／削除するためのＷＥＢ画面を示す図である。
【図２０】は、本発明に係る移動通信端末機の待ち受け画面用テンプレートタイプを変更するためのＷＡＢまたは移動通信端末機のテンプレート設定画面を示す図である。
【図２１】は、本発明に係る移動通信端末機の待ち受け画面用テンプレートタイプに既設定のチャネルにコンテンツを割り当てる一例を説明するために示す図である。
【図２２】は、本発明に係る移動通信端末機の待ち受け画面用テンプレートタイプに既設定のチャネルにコンテンツを割り当てる一例を説明するために示す図である。
【図２３】は、本発明に係る移動通信端末機の待ち受け画面用テンプレートタイプに既設定のチャネルにコンテンツを割り当てる一例を説明するために示す図である。
【図２４】は、本発明に係る移動通信端末機の待ち受け画面用テンプレートタイプに既設定のチャネルにコンテンツを割り当てる一例を説明するために示す図である。
【図２５】は、本発明に係る移動通信端末機の待ち受け画面用テンプレートタイプに既設定のチャネルにコンテンツを割り当てる一例を説明するために示す図である。
【図２６】は、本発明に係る移動通信端末機の待ち受け画面用テンプレートタイプに既設定のチャネルにコンテンツを割り当てる一例を説明するために示す図である。
【図２７】は、本発明に係る移動通信端末機の待ち受け画面用テンプレートタイプに既設定のチャネルにコンテンツを割り当てる一例を説明するために示す図である。
【図２８】は、本発明に係る移動通信端末機の待ち受け画面用テンプレートタイプを削除するための一例を説明するために示す図である。
【図２９】は、本発明に係る移動通信端末機の待ち受け画面用テンプレートタイプを追加するための一例を説明するために示す図である。
【図１】
2008535362.tif 000003
【図２】
2008535362.tif 000004
【図３】
2008535362.tif 000005
【図４】
2008535362.tif 000006
【図５】
2008535362.tif 000007
【図６】
2008535362.tif 000008
【図７】
2008535362.tif 000009
【図８】
2008535362.tif 000010
【図９】
2008535362.tif 000011
【図１０】
2008535362.tif 000012
【図１１】
2008535362.tif 000013
【図１２】
2008535362.tif 000014
【図１３】
2008535362.tif 000015
【図１４】
2008535362.tif 000016
【図１５】
2008535362.tif 000017
【図１６】
2008535362.tif 000018
【図１７】
2008535362.tif 000019
【図１８】
2008535362.tif 000020
【図１９】
2008535362.tif 000021
【図２０】
2008535362.tif 000022
【図２１】
2008535362.tif 000023
【図２２】
2008535362.tif 000024
【図２３】
2008535362.tif 000025
【図２４】
2008535362.tif 000026
【図２５】
2008535362.tif 000027
【図２６】
2008535362.tif 000028
【図２７】
2008535362.tif 000029
【図２８】
2008535362.tif 000030
【図２９】
2008535362.tif 000031
【国際調査報告】
2008535362.tif 000032
2008535362.tif 000033